(57)【要約】【課題】配光制御性を保ちながら、隆起物や変質層を少なくして、透明性を確保した導光パネルを提供することである。【解決手段】透光性を有し、プリズム１６が複数形成された導光パネル１０であって、プリズム１６は、熱加工により前記導光パネル１０の上面に形成された凹部であって、プリズム１６の外周には、熱加工により凹部の外周にあふれ出て上面上で凝固した隆起物３０が形成され、隆起物３０の外周には、熱加工により導光パネル１０の上面が層状に変質した変質層３２が形成され、少なくとも一部の互いに隣接するプリズム１６は、変質層３２同士が互いに重畳して配置されている。【選択図】図６
2019160605.tif 000002
【特許請求の範囲】
【請求項１】
透光性を有し、プリズムが複数形成された導光パネルであって、
前記プリズムは、熱加工により前記導光パネルの上面に形成された凹部であって、
前記プリズムの外周には、前記熱加工により前記凹部の外周にあふれ出て前記上面上で凝固した隆起物が形成され、
前記隆起物の外周には、前記熱加工により前記導光パネルの前記上面が層状に変質した変質層が形成され、
少なくとも一部の互いに隣接する前記プリズムは、前記変質層同士が互いに重畳して配置されている、
ことを特徴とする導光パネル。
【請求項２】
少なくとも一部の互いに隣接する前記プリズムは、前記変質層と前記隆起物とが互いに重畳して配置されている、
ことを特徴とする請求項１に記載された導光パネル。
【請求項３】
少なくとも一部の互いに隣接する前記プリズムは、前記隆起物同士が互いに重畳して配置されている、
ことを特徴とする請求項１に記載された導光パネル。
【請求項４】
少なくとも一部の互いに隣接する前記プリズムは、前記プリズムの一部が互いに重畳して配置されている、
ことを特徴とする請求項１に記載された導光パネル。
【請求項５】
前記プリズムは、単位プリズムが複数集合してクラスタを形成する、
ことを特徴とする請求項１乃至請求項４のいずれか一項に記載された導光パネル。
【発明の詳細な説明】
【技術分野】
【０００１】
本発明は、光源から照射された光をプリズムで反射して反射光を外部に照射する導光パネルに関する。
【背景技術】
【０００２】
薄型でデザイン性等を重視した面照明器具等の照明装置が普及しており、照明装置は、ＬＥＤ光源と導光パネルを備えている。
【０００３】
導光パネルには、プリズムが形成されており、プリズムの形状として、幾何学形状のプリズム、回転体形状プリズム等が提案されている。
【０００４】
また、照明装置は、光源から射出された光が導光パネル内部に形成されたプリズムに反射されることにより、導光パネルの底面（発光面）から反射光が外部に照射される。
【先行技術文献】
【特許文献】
【０００５】
【特許文献１】特表２００９−１０７５３３号公報
【発明の概要】
【発明が解決しようとする課題】
【０００６】
しかしながら、導光パネルにプリズムを形成する方法として、幅または径が数百ミクロン程度の微細なプリズムを、導光パネルである樹脂基材に対し、レーザ加工やホットスタンプ等により熱加工する方法が採用されているが、導光パネルに熱を加えた際に樹脂がプリズムの外周に溶け出して、導光パネルの表面で隆起物（デブリ）となり、更に隆起物の外周の表面では樹脂基材が変質して変質層が生じてしまう。
【０００７】
このため、導光パネルを透過する光が隆起物や変質層で不正に屈折し、導光パネルの透明性が損なわれるという課題があった。
【課題を解決するための手段】
【０００８】
本願発明は、導光パネルにおいて、配光制御性（導光パネルから照射される照明光の照度や光量を均一にする性能）を保ちながら、隆起物や変質層を少なくして、透明性を確保した導光パネルに関する。
【０００９】
本発明に係る導光パネルは、透光性を有し、プリズムが複数形成された導光パネルであって、プリズムは、熱加工により前記導光パネルの上面に形成された凹部であって、プリズムの外周には、熱加工により凹部の外周にあふれ出て上面上で凝固した隆起物が形成され、隆起物の外周には、熱加工により導光パネルの上面が層状に変質した変質層が形成され、少なくとも一部の互いに隣接するプリズムは、変質層同士が互いに重畳して配置されていることを特徴とする。
【発明の効果】
【００１０】
本発明に係る導光パネルは、上記のように構成することで、導光パネルにおけるプリズムの周囲に形成された隆起物や変質層の総面積を減少させることができるので、導光パネルの配光制御性の低下をできるだけ防ぎながら、透明性を高めることができる、という効果を奏する。
【図面の簡単な説明】
【００１１】
【図１】本発明の前提となる導光パネルを備えた照明装置を説明した斜視図である。
【図２】本発明の前提となる導光パネルに形成されたクラスタの上面図である。
【図３】本発明の前提となる導光パネルに形成されたクラスタの断面図である。
【図４】本発明の前提となる導光パネルに光を透過させた場合の模式図である。
【図５】本発明の第１実施形態に係る導光パネルに形成されたクラスタを上方からみた模式図である。
【図６】本発明の第１実施形態に係る導光パネルに形成されたクラスタの断面図である。
【図７】本発明の第２実施形態に係る導光パネルに形成されたクラスタを上方からみた模式図である。
【図８】本発明の第２実施形態に係る導光パネルに形成されたクラスタの断面図である。
【図９】本発明の第３実施形態に係る導光パネルに形成されたクラスタを上方からみた模式図である。
【図１０】本発明の第３実施形態に係る導光パネルに形成されたクラスタの断面図である。
【図１１】本発明の第４実施形態に係る導光パネルに形成されたクラスタを上方からみた模式図である。
【図１２】本発明の第４実施形態に係る導光パネルに形成されたクラスタの断面図である。
【発明を実施するための形態】
【００１２】
（照明装置の概要）
最初に、導光パネルを備えた照明装置の概要について説明する。
【００１３】
図１は、本発明の前提となる導光パネルを備えた照明装置を説明した斜視図である。
【００１４】
図１において、導光パネル１０は、透光性を有する樹脂等で形成された直方体の薄型パネルである。導光パネル１０には、反射体（プリズム）１６が複数形成されている。プリズム１６は導光パネル１０の上面１２を熱加工して凹部を穿設することにより形成され、凹部の上面部分は開口部１４となっている。
【００１５】
プリズム１６は、それぞれ独立して形成されていてもよく、仮想円２６に示すように、複数のプリズム１６（単位プリズム）が仮想円２６内に集合してクラスタ２８を形成してもよい。なお、クラスタ２８を構成するプリズム１６を説明する場合に、「単位プリズム１６」と称する場合があるが、プリズム１６と単位プリズム１６の構造に相違はない。
【００１６】
プリズム１６及びクラスタ２８の詳細については後述する。
【００１７】
光源（ＬＥＤ）１８が、導光パネル１０の側面２０に対向した位置に側面２０に沿って複数設けられており、光源１８の並び方向は、導光パネル１０の側面２０と平行である。
【００１８】
光源１８から射出された光は、矢印Ａのように導光パネル１０の側面２０から導光パネル１０の内部に入射し、クラスタ２８を構成する複数の単位プリズム１６の斜面２２で反射して、導光パネル１０の底面２４から外部に射出される。
【００１９】
（プリズム及びクラスタの説明）
次に、プリズム及びクラスタについて説明する。
【００２０】
図２は、本発明の前提となる導光パネルに形成されたクラスタの上面図である。
【００２１】
クラスタ２８は、７個の単位プリズム１６が仮想円２６の範囲内に集合して形成されたものである。本明細書全編において、導光パネル１０には複数のプリズム１６がそれぞれ互いに独立して形成されていてもよく、単位プリズム１６が複数個集合してクラスタ２８を形成してもよい。また、クラスタ２８を構成する単位プリズム１６の個数は７個に限られず、適宜選択され得る。
【００２２】
単位プリズム１６は、図１で説明したように、導光パネル１０の上面１２から熱加工により凹部が形成されたものであり、図２に示すように、熱加工によって凹部が形成された際に、溶解された樹脂が凹部の開口部１４の外周にあふれ出て、上面１２（図１）上で凝固した隆起物３０が形成されている。隆起物３０の外周には、熱加工の際に熱によって導光パネル１０の上面１２の樹脂が変質して形成された層状の変質層３２が形成されている。
【００２３】
図３は、本発明の前提となる導光パネルに形成されたクラスタの断面図であり、図２のＸ−Ｘ線で切断した断面図である。
【００２４】
前述した通り、単位プリズム１６ａの開口部１４の外周には隆起物３０が形成され、隆起物３０の外周には変質層３２が形成されている。
【００２５】
また、単位プリズム１６ａの隣には、平面の上面１２を挟んで単位プリズム１６ｂが形成されており、単位プリズム１６ｂの開口部１４の外周にも同様に隆起物３０が形成され、隆起物３０の外周には変質層３２が形成されている。
【００２６】
図３において、クラスタ２８を構成する単位プリズム１６は、単位プリズム１６ａの両矢印で示すように、導光パネル１０の上面１２に形成された開口部１４から導光パネル１０の内部に向かって、上面１２に平行な方向の開口部１４の大きさが徐々に減少するように形成されてもよい。
【００２７】
また、単位プリズム１６は、単位プリズム１６ａに示すように、開口部１４の中心点３６から導光パネル１０の内部に向かって下した垂線３８を軸に回転する、円錐状の回転体であってもよい。
【００２８】
また、単位プリズム１６は、単位プリズム１６ａに示すように、開口部１４から斜面２２が導光パネル１０の内部の頂点４０に向かい、斜面２２が頂点４０で収束するように形成されてもよい。
【００２９】
次に、クラスタ２８を構成する各単位プリズム１６は熱加工により形成されるので、導光パネル１０の上部から熱エネルギーが加えられると、導光パネル１０の樹脂が溶解して凹部３４が形成される。凹部３４が形成されることによって、溶解した樹脂が開口部ＡＤから単位プリズム１６の開口部１４の外周にあふれ出し、上面１２上で凝固して隆起物（デブリ）３０として堆積する。
【００３０】
隆起物３０の外周には、導光パネル１０に熱エネルギーが加えられたことによって、導光パネル１０の上面１２の一部が層状に変質し、変質層３２が形成される。
【００３１】
図４は、本発明の前提となる導光パネルに光を透過させた場合の模式図である。
【００３２】
図１乃至図３で説明したように、クラスタ２８を構成する単位プリズム１６同士が離隔していて、隆起物３０や変質層３２が形成されていると、図４に示すように、導光パネル１０の上方から下方に光を透過させてみると、変形していない上面１２を透過した透過光は白抜き矢印のように直進するが、隆起物３０や変質層３２に照射された光は隆起物３０や変質層３２で乱反射する他、透過した透過光は黒矢印のように不正に屈折する。
【００３３】
そのため、導光パネル１０の透過性が低下し、人間が導光パネル１０に光を透かして見たときに、導光パネル１０に濁りや、くすみが生じる。
【００３４】
一方、単位プリズム１６同士を近付け過ぎると、導光パネル１０に外部の光源１８（図１）から光Ａを照射したとき、クラスタ２８で反射した反射光の指向性が強まり、配光制御性が低下する。
【００３５】
つまり、単位プリズム１６が集合して形成されたクラスタ２８が多数配置された導光パネル１０は、クラスタ２８を構成する単位プリズム１６の間隔が大きいと、外部の光源１８（図１）から照射された光Ａが単位プリズム１６に反射した反射光が散乱するため、配光制御性に優れるが、隆起物３０と変質層３２の総面積が大きくなるため、透過性が低くなる。
【００３６】
それに対し、クラスタ２８を構成する単位プリズム１６の間隔が小さ過ぎると、隆起物３０と変質層３２の総面積が小さくなるため、透過性は高まるが、光源１８から照射された光Ａが単位プリズム１６に反射した反射光の指向性が強まるため、配光制御性は影響を受ける。
【００３７】
そこで、本願発明では、隆起物３０が大きい場合と小さい場合に分け、配光制御性と透明度を両立させた導光パネル１０を提案する。
【００３８】
（第１実施形態：変質層同士の重畳）
以下、本発明の第１実施形態に係る導光パネルについて説明する。
【００３９】
図５は、本発明の第１実施形態に係る導光パネルに形成されたクラスタを上方からみた模式図である。
【００４０】
第１実施形態では、単位プリズム１６の隆起物３０の大きさが比較的小さい場合を考える。この場合、隆起物３０をそのまま残しておいても、導光パネル１０の透明性への影響は小さいと考えられるため、単位プリズム１６の間隔を必要以上に小さくせず、クラスタ２８の配光制御性を高く維持した状態で、できる限り導光パネル１０の透光性を高める構成を提案する。
【００４１】
すなわち、このように隆起物３０が比較的小さい場合は、隆起物３０の外周の変質層３２の総面積を減少させることを考える。そこで、クラスタ２８を構成する７個の単位プリズム１６において、隆起物３０の外周の変質層３２の一部同士を互いに重畳させる。このとき、単位プリズム１６の変質層３２とそれに隣接する単位プリズム１６の隆起物３０とは互いに重畳させない構成も選択し得る。
【００４２】
図５は、単位プリズム１６の変質層３２が隣接する単位プリズム１６の隆起物３０とは重畳させず、変質層３２同士を重畳させた場合の例であり、黒で塗り潰された部分が変質層３２を重畳させた部分である。変質層３２を重畳させた部分の面積だけ、図２に比べて変質層３２の総面積が減少したことになり、図２の構成に比べて透明性が高まり、その一方で、配光制御性は高く維持できる。
【００４３】
図６は、本発明の第１実施形態に係る導光パネルに形成されたクラスタの断面図であって、図５のＸ−Ｘ線で切った断面図である。
【００４４】
図６では、図４において、単位プリズム１６ａの右側にあった変質層３２ａと単位プリズム１６ｂの左側にあった変質層１２ｂとが互いに重畳し合って、図６において、１つの変質層３２ｃとなっている。このため、図４に示された中央部分の上面１２ａが、図６では消滅しているが、図６では、導光パネル１０全体として、変質層３２の総面積が小さくなっているため、図４の構成に比べて透明性が高まり、その一方で、配光制御性は高く維持できる。
【００４５】
第１実施形態は、図５に示すように、すべての単位プリズム１６の変質層３２が隣接する単位プリズム１６の隆起物３０に接するまで、互いの単位プリズム１６を近付けることで、第１実施形態における条件において、隆起物３０と変質層３２の総面積が最小となり、最適であるが、いずれかの単位プリズム１６の変質層３２がその隣接する他の単位プリズム１６の隆起物３０に接していない場合も含むものとする。
【００４６】
（第２実施形態：隆起物と変質層の重畳）
以下、本発明の第２実施形態に係る導光パネルについて説明する。
【００４７】
図７は、本発明の第２実施形態に係る導光パネルに形成されたクラスタを上方からみた模式図である。
【００４８】
第２実施形態においては、第１実施形態と同様、単位プリズム１６の隆起物３０の大きさが比較的小さい。そのため、隆起物３０をそのまま残しておいても、導光パネル１０の透明性への影響は小さいと考えられるため、単位プリズム１６の間隔を必要以上に小さくせず、クラスタ２８の配光制御性を高く維持した状態で、できる限り導光パネル１０の透光性を高める構成を提案する。
【００４９】
すなわち、このように隆起物３０が比較的小さい場合は、第１実施形態よりも更に単位プリズム１６間の間隔を小さくし、変質層３２の総面積を減少させることを考える。そこで、クラスタ２８を構成する７個の単位プリズム１６において、隆起物３０の一部と変質層３２の一部とを互いに重畳させる。このとき、互いに隣接する複数の単位プリズム１６の隆起物３０同士は互いに重畳させない構成も選択し得る。
【００５０】
図７は、単位プリズム１６の変質層３２が隣接する単位プリズムとは重畳させず、変質層１６同士を重畳させ、更に隆起物３０と変質層１６とを重畳させた場合の例であり、黒で塗り潰された部分が、変質層３２同士、及び隆起物３０と変質層３２とが重畳した部分である。その部分の面積だけ、図２、図５に比べて更に変質層３２の面積が減少したことになり、図２、図５の構成に比べて透明性が高まり、その一方で、配光制御性は高く維持できる。
【００５１】
図８は、本発明の第２実施形態に係る導光パネルの特徴であるクラスタの断面図であって、図７のＸ−Ｘ線で切った断面図である。
【００５２】
図８では、図６において、単位プリズム１６ａと単位プリズム１６ｂの間にあった変質層３２が、単位プリズム１６ａの右側にあった隆起物３０又は単位プリズム１６ｂの左側にあった隆起物３０のいずれかと重畳し合って、図８において、２つの隆起物３０となっている。従って、図８では、導光パネル１０全体として、変質層３２の面積が更に減少したため、隆起物３０と変質層３２の総面積が更に小さくなっていることになり、図６の構成に比べて更に透明性が高まり、その一方で、配光制御性は高く維持できる。
【００５３】
第２実施形態は、図７に示すように、すべての単位プリズム１６の隆起物３０が隣接する単位プリズム１６の隆起物３０に接するまで、互いの単位プリズム１６を近付けることで、第２実施形態における条件において、隆起物３０と変質層３２の総面積が最小となり、最適であるが、いずれかの単位プリズム１６の隆起物３０がその隣接する他の単位プリズム１６の隆起物３０に接していない場合も含むものとする。
【００５４】
（第３実施形態：隆起物同士の重畳）
以下、本発明の第３実施形態に係る導光パネルについて説明する。
【００５５】
図９は、本発明の第３実施形態に係る導光パネルの特徴であるクラスタを上方からみた模式図である。
【００５６】
第３実施形態においては、第１実施形態、第２実施形態と異なり、単位プリズム１６の隆起物３０の大きさが比較的大きいか、若しくは隆起物３０による透過光の不正な屈折が大きい場合を考える。そのため、クラスタ２８の配光制御性は少し低くなるが、図２の構成から大幅に単位プリズム１６の間隔を小さくし、変質層３２の総面積だけでなく、隆起物３０の総面積を減少させなければ、導光パネル１０の透明性を向上することができないと考えられる。
【００５７】
そこで、このように隆起物３０の大きさが比較的大きいか、若しくは隆起物３０による透過光の不正な屈折が大きい場合は、クラスタ２８を構成する７個の単位プリズム１６において、互いに隣接する単位プリズム１６の隆起物３０と変質層３２とを重畳させ、更に隆起物３０同士を重畳させる。このとき、単位プリズム１６の隆起物３０とそれに隣接する単位プリズム１６とは互いに重畳させない構成も選択し得る。
【００５８】
図９において、黒で塗り潰された部分が、隆起物３０同士が重畳した部分と隆起物３０と変質層３２とが重畳した部分であり、その部分の面積だけ、図２に比べて隆起物３０と変質層３２の総面積が減少したことになる。このため、図２の構成に比べて透明性が高まり、その一方で、配光制御性の低下は最小限に留めることができる。
【００５９】
図１０は、本発明の第３実施形態に係る導光パネルの特徴であるクラスタの断面図であって、図９のＸ−Ｘ線で切った断面図である。
【００６０】
図１０では、図８において、単位プリズム１６ａの右側の隆起物３０と単位プリズム１６ｂの左側の隆起物３０とが重畳し合って、図１０において、１つの隆起物３０となっている。このため、図１０では、導光パネル１０全体として、隆起物３０と変質層３２の総面積が減少しているため、図２の構成に比べて透明性が高まり、その一方で、配光制御性の低下は最小限に留めることができる。
【００６１】
第３実施形態は、図９に示すように、すべての単位プリズム１６の隆起物３０が隣接する単位プリズム１６の開口部１４に接するまで、互いの単位プリズム１６を近付けることで、第３実施形態における条件において、隆起物３０と変質層３２の総面積が最小となり、最適であるが、いずれかの単位プリズム１６の隆起物３０がその隣接する他の単位プリズム１６の開口部１４に接していない場合も含むものとする。
【００６２】
（第４実施形態：プリズム同士の重畳）
以下、本発明の第４実施形態に係る導光パネルについて説明する。
【００６３】
図１１は、本発明の第４実施形態に係る導光パネルの特徴であるクラスタを上方からみた模式図である。
【００６４】
第４実施形態においては、第３実施形態と同様、単位プリズム１６の隆起物３０の大きさが比較的大きい、若しくは隆起物３０による透過光の不正な屈折が大きい場合を考える。そのため、クラスタ２８の配光制御性は多少犠牲にしても、図２に示す単位プリズム１６の構成よりも大幅に単位プリズム１６の間隔を小さくし、変質層３２の総面積だけでなく、隆起物３０の総面積を減少させなければ、導光パネル１０の透明性を向上することができないと考えられる。
【００６５】
そこで、このように隆起物３０の大きさが比較的大きいか、若しくは隆起物３０による透過光の不正な屈折が大きい場合は、クラスタ２８を構成する７個の単位プリズム１６において、互いに隣接する複数の単位プリズム１６の一部が互いに重畳するまで、単位プリズム１６同士を互いに接近させる。或いは、互いに隣接する複数の単位プリズム１６は、互いに隣接する２つの単位プリズム１６の上面１２に形成された開口部１４の一部が欠損し、若しくは互いに導通するまで、互いに隣接する単位プリズム１６同士を互いに接近させて形成されている。
【００６６】
このとき、単位プリズム１６に光源１８（図１）から入射した光Ａ（図１）が反射する有効斜面（図１２で後述する）は充分残された状態であることが適している。
【００６７】
図１１において、黒で塗り潰された部分が、隆起物３０同士、及び隆起物３０と変質層３２同士を重畳させた部分であり、点線で示した部分が、互いに隣接する複数の単位プリズム１６の一部同士が互いに重畳し、互いに隣接する２つの単位プリズム１６の上面１２に形成された開口部１４が欠損し、若しくは導通した部分である。
【００６８】
図９に示した黒で塗りつぶされた領域の面積と図１１で示した黒で塗りつぶされた領域の面積の差分だけ、図９に比べて隆起物３０と変質層３２の総面積が減少したことになる。
【００６９】
このような構成のとき、光源１８から入射した光Ａが反射する有効斜面は充分残され、隆起物３０と変質層３２の総面積が最小となるため、図２、図９の構成に比べて透明性が高まり、その一方で、配光制御性の低下は最小限に留めることができる。
【００７０】
図１２は、本発明の第４実施形態に係る導光パネルの特徴であるクラスタの断面図であって、図１１のＸ−Ｘ線で切った断面図である。
【００７１】
有効斜面４２は、図１において、外部に設けられた光源１８から射出された光Ａが、導光パネル１０の側面２０から内部に入射したとき、クラスタ２８を構成する単位プリズム１６に光Ａが照射される斜面２２である。
【００７２】
図１２では、図１０において、単位プリズム１６に光源１８から入射した光Ａが照射される有効斜面４２は充分残された状態で、互いに隣接する複数の単位プリズム１６の一部が互いに重畳するまで、互いに隣接する単位プリズム１６同士を互いに接近させ、若しくは、互いに隣接する複数の単位プリズム１６は、互いに隣接する２つの単位プリズム１６の上面１２に形成された開口部１４の一部が欠損し、若しくは導通するまで、互いに隣接する単位プリズム１６同士を互いに接近させて形成されている。
【００７３】
このため、図１２では、クラスタ２８を構成する単位プリズム１６の有効斜面４２は充分残した状態において、導光パネル１０全体として、隆起物３０と変質層３２の総面積が最小となるため、導光パネル１０の透明性が最高となり、その一方で、配光制御性の低下も最小限に抑えることができる。
【００７４】
第４実施形態は、図１２に示すように、すべての互いに隣接する複数の単位プリズム１６の一部が互いに重畳するまで、互いに隣接する単位プリズム１６同士を互いに接近させ、若しくは、互いに隣接する複数の単位プリズム１６は、互いに隣接する２つの単位プリズム１６の上面１２に形成された開口部１４が欠損し、若しくは導通するまで、互いに隣接する単位プリズム１６同士を互いに接近させて形成されているとき、隆起物３０と変質層３２の総面積が最小となり、最適であるが、いずれかの互いに隣接する複数の単位プリズム１６の一部が互いに重畳せず、若しくは、いずれかの互いに隣接する複数の単位プリズム１６の上面１２に形成された開口部１４が欠損せず、若しくは導通していない場合も含むものとする。
【００７５】
以上の通り、第１の発明は、透光性を有し、プリズムが複数形成された導光パネルであって、プリズムは、熱加工により導光パネルの上面に形成された凹部であって、プリズムの外周には、熱加工により凹部の外周にあふれ出て上面上で凝固した隆起物が形成され、隆起物の外周には、熱加工により導光パネルの上面が層状に変質した変質層が形成され、少なくとも一部の互いに隣接するプリズムは、変質層同士が互いに重畳して配置されていることを特徴とする導光パネルである。
【００７６】
また、第２の発明は、第１の発明において、変質層と隆起物とが互いに重畳して配置されていることを特徴とする導光パネルである。
【００７７】
また、第３の発明は、第１の発明において、少なくとも一部の互いに隣接するプリズムは、隆起物同士が互いに重畳して配置されていることを特徴とする導光パネルである。
【００７８】
また、第４の発明は、第１の発明において、少なくとも一部の互いに隣接するプリズムは、前記プリズムの一部が互いに重畳して配置されていることを特徴とする導光パネルである。
【００７９】
また、第５の発明は、第１の発明乃至第４の発明において、プリズムが、複数集合してクラスタを形成することを特徴とする導光パネルである。
【符号の説明】
【００８０】
１０  導光パネル、１２  上面、１４  開口部、１６  反射体（プリズム、単位プリズム）、１８  光源（ＬＥＤ）、２０  側面、２２  斜面、２４  底面、２６  仮想円、２８  クラスタ、３０  隆起物（デブリ）、３２  変質層、３４  凹部、３６  中心点、３８  垂線、４０  頂点、４２  有効斜面。
【図１】
2019160605.tif 000003
【図２】
2019160605.tif 000004
【図３】
2019160605.tif 000005
【図４】
2019160605.tif 000006
【図５】
2019160605.tif 000007
【図６】
2019160605.tif 000008
【図７】
2019160605.tif 000009
【図８】
2019160605.tif 000010
【図９】
2019160605.tif 000011
【図１０】
2019160605.tif 000012
【図１１】
2019160605.tif 000013
【図１２】
2019160605.tif 000014